(57)【要約】【課題】荷室を有する車両の当該荷室の映像を記録でき、しかも必要画像を容易に探し出すことができる映像記録装置を提供する。【解決手段】荷室を有する車両に搭載され、少なくとも車両の前方または後方を撮影する車載カメラ１４にて得られた映像を含む車両の運行状況を内蔵記録媒体１７に記録する映像記録装置であって、荷室の扉の開閉を検出する扉開閉検出手段２１と、荷室内に設けられていて荷室内を撮影する荷室用カメラ２２と、扉開閉検出手段２１にて扉の開状態のときに得られる開信号がＯＮのときにのみ、荷室内の映像を、内蔵記録媒体１７とは別の、着脱容易な着脱式記録媒体２６に記録する記録制御部２３とを備えている。【選択図】図１
2017069613.tif 000002
【特許請求の範囲】
【請求項１】
荷室を有する車両に搭載され、少なくとも車両の前方または後方を撮影する車載カメラにて得られた映像を含む車両の運行状況を内蔵記録媒体に記録する映像記録装置であって、
前記荷室の扉の開閉を検出する扉開閉検出手段と、
前記荷室内に設けられていて該荷室内を撮影する荷室用カメラと、
前記扉開閉検出手段にて扉の開状態のときに得られる開信号がＯＮのときにのみ、前記荷室内の映像を、前記内蔵記録媒体とは別の、着脱容易な着脱式記録媒体に記録する記録制御部と、
を備えていることを特徴とする映像記録装置。
【発明の詳細な説明】
【技術分野】
【０００１】
本発明は、映像記録装置に関するものである。
【背景技術】
【０００２】
従来、映像記録装置として、例えば特許文献１に見られるように、車両に搭載され、少なくとも車両の前方を撮影する車載カメラにて得られた映像を含む車両の運行状況を記録するドライブレコーダーが知られている。
【０００３】
また、図３に示すように、加速度センサ（１１）と、車速センサ（１２）と、ＧＰＳ受信機（１３）と、車両の前方または後方を撮影する車載カメラ（１４）と、演算装置（１５）と、記録装置（１６）と、内蔵記録媒体（１７）とを備え、加速度センサ（１１）、車速センサ（１２）、ＧＰＳ受信機（１３）、および車載カメラ（１４）から得られた各信号を演算装置（１５）で演算処理して記録装置（１６）にて内蔵記録媒体（１７）に運行状況を記録するドライブレコーダー（１０）も知られている。内蔵記録媒体（１７）は、ドライブレコーダー（１０）内に内蔵されたＨＤＤ等で構成されている。
【先行技術文献】
【特許文献】
【０００４】
【特許文献１】特開２００６−３４７４９３号公報
【発明の概要】
【発明が解決しようとする課題】
【０００５】
上述した従来のドライブレコーダーでは、車両の運行状況は記録できるが、荷室を有する車両の当該荷室の映像を記録できるものではなかった。荷室にカメラを設けて常時撮影することも考えられるが、その場合、必要画像（例えば積み荷の盗難に関する映像）を探し出すのが大変である。
【０００６】
本発明が解決しようとする課題は、荷室を有する車両の当該荷室の映像を記録でき、しかも必要画像を容易に探し出すことができる映像記録装置を提供することである。
【課題を解決するための手段】
【０００７】
上記課題を解決するために本発明の映像記録装置は、
荷室を有する車両に搭載され、少なくとも車両の前方または後方を撮影する車載カメラにて得られた映像を含む車両の運行状況を内蔵記録媒体に記録する映像記録装置であって、
前記荷室の扉の開閉を検出する扉開閉検出手段と、
前記荷室内に設けられていて該荷室内を撮影する荷室用カメラと、
前記扉開閉検出手段にて扉の開状態のときに得られる開信号がＯＮのときにのみ、前記荷室内の映像を、前記内蔵記録媒体とは別の、着脱容易な着脱式記録媒体に記録する記録制御部と、
を備えていることを特徴とする。
【０００８】
この映像記録装置によれば、荷室を有する車両に関し、少なくとも車両の前方または後方を撮影する車載カメラにて得られた映像を含む車両の運行状況に加え、荷室の状況も記録することができる。
荷室の状況は、扉開閉検出手段にて扉の開状態のときに得られる開信号がＯＮのときにのみ記録されるから、必要画像を容易に探し出すことができる。
しかも、荷室の状況は、前記内蔵記録媒体とは別の、着脱容易な着脱式記録媒体に記録されるから、例えば、この映像記録装置の管理者は、必要に応じて、他の管理者に上記着脱式記録媒体を渡すことが可能である。
【図面の簡単な説明】
【０００９】
【図１】発明に係る映像記録装置の実施の形態のブロック図。
【図２】同実施の形態を適用する荷室付き車両の一例を示す図で、（ａ）は概略側面図、（ｂ）は概略背面図。
【図３】従来例のブロック図。
【発明を実施するための形態】
【００１０】
以下、本発明に係る映像記録装置の実施の形態について図面を参照して説明する。なお、各図において、同一部分ないし相当する部分には、同一の符号を付してある。
【００１１】
図１、図２に示すように、この実施の形態の映像記録装置２０は、荷室３１（図２）を有する車両３０に搭載され、車両３０の後方を撮影する車載カメラ１４にて得られた映像を含む車両の運行状況を内蔵記録媒体１７に記録する映像記録装置である。なお、この実施の形態では、車載カメラ１４で車両の後方を撮影するが、車両の前方を撮影するようにしてもよく、前方、後方、どちらも撮影するようにしてもよい。
【００１２】
より詳しくは、この実施の形態の映像記録装置２０は、従来技術同様、加速度センサ（１１）と、車速センサ（１２）と、ＧＰＳ受信機（１３）と、車両の後方を撮影する車載カメラ（１４）と、演算装置（２４）と、記録装置（２５）と、内蔵記録媒体（１７）とを備え、加速度センサ（１１）、車速センサ（１２）、ＧＰＳ受信機（１３）、および車載カメラ（１４）から得られた各信号を演算装置（２４）で演算処理して記録装置（２５）にて内蔵記録媒体（１７）に運行状況を記録する用になっている。内蔵記録媒体（１７）は、ドライブレコーダー（１０）内に内蔵されたＨＤＤ等で構成されている。
【００１３】
さらに、この映像記録装置２０は、
車両３０の荷室３１の扉３２の開閉を検出する扉開閉検出手段２１と、
荷室３１内に設けられていて該荷室３１内を撮影する荷室用カメラ２２と、
扉開閉検出手段２１にて扉３２の開状態のときに得られる開信号がＯＮのときにのみ、荷室３１内の映像を、前記内蔵記録媒体１７とは別の、着脱容易な着脱式記録媒体２６に記録する記録制御部２３と、を備えている。
【００１４】
この映像記録装置によれば、荷室３１を有する車両３０に関し、車両の後方（および／または前方）を撮影する車載カメラ１４にて得られた映像を含む車両３０の運行状況に加え、荷室３１内の状況も記録することができる。
【００１５】
荷室３１内の状況は、扉開閉検出手段２１にて扉３２の開状態のときに得られる開信号がＯＮのときにのみ記録されるから、必要画像（例えば荷室３１内の積み荷の盗難に関する映像）を容易に探し出すことができる。
【００１６】
しかも、荷室３１内の状況は、前記内蔵記録媒体１７とは別の、着脱容易な着脱式記録媒体２６に記録されるから、例えば、この映像記録装置２０の管理者は、必要に応じて、他の管理者に上記着脱式記録媒体２６を渡すことが可能である。
【００１７】
この実施の形態では、車両３０の荷室３１は左右一対の扉３２を有しており、その開状態を検出する扉開閉検出手段２１も左右一対設けられている。したがって、左右の扉３２のうちどちらかでも開かれれば、扉開閉検出手段２１が作動し、開信号が記録制御部２３へ送信される。開信号は、庫内灯のＯＮ/ＯＦＦ部分から取ることも可能である。
【００１８】
記録制御部２３は、従来と同様な演算装置２４と、記録装置２５とで構成することができる。
着脱式記録媒体２６としては、ＳＤカード、ＵＳＢメモリ等を用いることができる。
【００１９】
以上のような映像記録装置２０は、この映像記録装置２０の管理者のみが操作できる場所、例えば、運転室３３に設けられたロック機能のある特別収納室３４に収納される。
【００２０】
以上、本発明の実施の形態について説明したが、本発明は上記の実施の形態に限定されるものではなく、本発明の要旨の範囲内において適宜変形実施可能である。
【符号の説明】
【００２１】
１４：    車載カメラ
１７：    内蔵記録媒体
２０：    映像記録装置
２１：    扉開閉検出手段
２２：    荷室用カメラ
２３：    記録制御部
２６：    着脱式記録媒体
３０：    車両
３１：    荷室
【図１】
2017069613.tif 000003
【図２】
2017069613.tif 000004
【図３】
2017069613.tif 000005